(57)【要約】【課題】      表示制御基板にハンダ付けされているＩＣを取り外して再利用可能なパチンコ機を提供する。【解決手段】  パチンコ機１０の表示制御基板１３０において、少なくとも１つのハンダ付けされているＩＣの周囲には、当該ＩＣを取り外す装置のノズル２１１（当該ＩＣを取り外す治具）を配置可能な部品配置不可領域１３５（スペース）が設けられている。【選択図】    図３
2006175032.tif 000002
【特許請求の範囲】
【請求項１】
少なくとも１つのＩＣがハンダ付けされている表示制御基板を備えるパチンコ機であって、
前記表示制御基板には、ハンダ付けされているＩＣの周囲に、当該ＩＣを取り外す治具を配置可能なスペースが設けられていることを特徴とする、
パチンコ機。
【発明の詳細な説明】
【技術分野】
【０００１】
本発明は、パチンコ機の表示制御基板にハンダ付けされているＩＣを取り外して再利用可能なパチンコ機に関する。
【背景技術】
【０００２】
パチンコ機では、基板に複数の電気部品が配設されている回路基板が用いられている。例えば、ＣＰＵが配設されている制御基板として、パチンコ機全体の遊技動作を制御する主制御回路が配設されている主制御基板、賞球動作を制御する賞球制御回路が配設されている賞球制御基板、表示動作を制御する表示制御回路が配設されている表示制御基板が用いられている。
ところで、近年、パチンコ機では、遊技者のパチンコに対する興趣を高める等の目的で、遊技盤に設けられている液晶表示器等の表示装置に高度な画像表示が行われる場合が多い。このため、表示装置の表示動作を制御する表示制御基板には、ＣＰＵをはじめ、ＶＤＰ（画像処理ＩＣ）等の高機能で高価なＩＣが配設される場合が多い（特許文献１参照）。
【特許文献１】特開２００３−２８４８５２号公報
【発明の開示】
【発明が解決しようとする課題】
【０００３】
一方、一般的に、パチンコ店では、遊技者のパチンコに対する興味を引くために、次々と機種替えが行われ、機種替えまでの期間（一般的には、数ヶ月）が短くなる傾向にある。そこで、環境問題等の観点から資源を節約するために、パチンコ機の一部を再利用して、別のパチンコ機を製造することへの要請が高まっている。特に、表示制御基板に用いられている高機能で高価なＩＣを再利用することができれば、パチンコ機のコスト低減にも資することとなる。
そこで、本発明が解決しようとする課題は、パチンコ機の表示制御基板にハンダ付けされているＩＣを取り外して再利用可能なパチンコ機を提供することである。
【課題を解決するための手段】
【０００４】
前記課題を解決するための本発明の第１発明は、請求項１に記載されたとおりのパチンコ機である。
請求項１に記載のパチンコ機は、少なくとも１つのＩＣがハンダ付けされている表示制御基板を備えている。
この表示制御基板には、ハンダ付けされているＩＣの周囲に、当該ＩＣを取り外す治具を配置可能なスペースが設けられている。
「ＩＣを取り外す治具」とは、例えば、基板にハンダ付けされているＩＣにパッケージ側から熱風を吹き付け、ハンダを溶融させて当該ＩＣを取り外す装置を示す。
「スペース」としては、当該ＩＣを取り外す治具が配置可能な空間があればよく、ＩＣの外周について全周にわたって設けられていてもよいし、ＩＣの外周について一部に設けられていてもよい。また、基板の部品配設面（当該ＩＣが配設されている面）において当該スペース部分には、部品が配設されていないのが好ましいが、ＩＣを取り外す治具が配置可能な大きさの部品（例えば、基板に配設された際の高さが低い部品）であれば配設されていてもよい。また、裏面（部品配設面の裏側の面）には部品が配設されていてもよい。
表示制御基板にハンダ付けされているＩＣが複数ある場合、ハンダ付けされているＩＣのうち、少なくとも１つの、取り外す場合があるＩＣの周囲に、当該ＩＣを取り外す治具を配置可能なスペースが設けられていればよい。
【０００５】
本発明のパチンコ機では、表示制御基板にハンダ付けされている、少なくとも１つのＩＣの周囲に、ＩＣを取り外す治具を配置可能なスペースが設けられている。これにより、当該ＩＣを、治具を用いて表示制御基板から容易に取り外すことができることとなった。したがって、当該ＩＣを容易に再利用することができる。特に、このＩＣが、高価なＣＰＵやＶＤＰ等のＩＣであれば、パチンコ機のコストを有効的に低減することができる。
また、本発明のパチンコ機を用いれば、資源を節約して環境問題に貢献することができる。
【発明の効果】
【０００６】
本発明のパチンコ機を用いれば、表示制御基板にハンダ付けされているＩＣを容易に再利用することができる。
【発明を実施するための最良の形態】
【０００７】
本発明のパチンコ機の最良の実施の形態を、図１〜図６を参照して説明する。
本実施の形態のパチンコ機では、表示制御基板に、ＢＧＡ（Ｂａｌｌ  Ｇｒｉｄ  Ａｒｒａｙ）型のＶＤＰ（画像処理ＩＣ）が設けられている。ＢＧＡ型のＶＤＰの周囲には、当該ＩＣを取り外す際の治具を配置可能な部品配置不可領域が設けられている。そして、このパチンコ機が不要になった場合、表示制御基板にハンダ付けされているＶＤＰは当該表示制御基板から取り外されて、他のパチンコ機の表示制御基板にハンダ付けされる。この際、再利用したＶＤＰがハンダ付けされた表示制御基板には、再利用した部品が配設されていることを示す識別番号（基板のシリアル番号）が印字されたシールが貼付される。
図１には、本発明をパチンコ機の表側（遊技者側）の全体構成を正面図で示す。図２には、パチンコ機の制御系のブロック図を示す。図３には、表示制御基板の外観図を示す。図４、図５は、ハンダ付けされているＶＤＰを取り外す手順を説明する図である。図６には、再利用した部品が配設されていることを示す識別番号（基板のシリアル番号）が印字されたシールの一例を示す。
【０００８】
まず、図１を用いてパチンコ機１０の概略構成を説明する。
パチンコ機１０の遊技盤面１１には、演出表示装置４０、始動入賞口１２、大入賞口１３、発射ハンドル１４、抽選結果表示装置１００ａ等が適宜の位置に配置されている。
始動入賞口１２には、遊技球が始動入賞口１２に入賞したことを検出して始動入賞球検出信号を出力する始動入賞球検出器２０（併せて、図２参照）が設けられている。
また、大入賞口１３には、遊技球が大入賞口１３に入賞したことを検出して入賞球検出信号を出力する入賞球検出器２１（併せて、図２参照）が設けられている。
そして、大入賞口１３には、遊技球が大入賞口１３に入賞し易い開位置と遊技球が大入賞口１３に入賞し難い閉位置に開閉制御可能な大入賞口開閉部材１３ａが設けられている。大入賞口開閉部材１３ａは、大入賞口駆動装置３０（併せて、図２参照）によって開閉制御される。
ここで、パチンコ機１０には、大入賞口１３以外にも一般入賞口が設けられていて、遊技球が入賞した時に遊技者に払出す遊技球の数（賞球数）が入賞口に応じて異なる場合には、主制御回路（併せて、図２参照）が、入賞球検出信号に基づいて、遊技球が入賞した入賞口を判別できるように構成するのが好ましい。例えば、各入賞口に対応させて入賞球検出器を設ける。
抽選結果表示装置１００ａは、複数のＬＥＤ等により構成され、始動入賞口１２に遊技球が入賞して始動入賞球検出信号が出力されることに起因して行われる抽選結果を点灯状態によって表示する。なお、抽選については詳細を後述する。
演出表示装置４０には、演出図柄を変動表示する演出図柄表示部４１が設けられている。演出図柄表示部４１には、例えば、上記抽選結果に基づく演出図柄が変動表示される。
発射ハンドル１４は、遊技球を遊技盤面１１に発射させる際に用いられる。
【０００９】
次に、本実施の形態のパチンコ機１０の制御系の構成を、図２を用いて説明する。
パチンコ機１０は、主制御基板１００、賞球制御基板１１０、副制御基板１２０、表示制御基板１３０を備えている。
主制御基板１００に設けられている主制御回路には、始動入賞口１２（併せて、図１参照）に設けられた始動入賞球検出器２０、大入賞口１３（併せて、図１参照）に設けられた入賞球検出器２１及び大入賞口駆動装置３０が接続されている。また、主制御回路には抽選結果表示装置１００ａが接続されている。さらに、主制御回路には、賞球制御基板１１０に設けられている賞球制御回路、副制御基板１２０に設けられている副制御回路が接続されている。
副制御回路には、表示制御基板１３０に設けられている表示制御回路が接続されている。また、副制御回路には、装飾ＬＥＤ１２０ａやスピーカ１２０ｂが接続されている。
そして、賞球制御回路には、遊技盤面１１に発射された遊技球が大入賞口１３に入賞したことにより遊技球（賞球）を払い出す賞球装置５０が接続されている。また、表示制御回路には、演出図柄表示部４１（併せて、図１参照）を有する演出表示装置４０が接続されている。
なお、主制御回路には、ＣＰＵ１０１及びＲＯＭやＲＡＭ等の記憶手段１０２が配設されている。同様に、賞球制御回路にはＣＰＵ１１１及び記憶手段１１２が、副制御回路にはＣＰＵ１２１及び記憶手段１２２が、表示制御回路にはＣＰＵ１３１及び記憶手段１３２及びＶＤＰ１３３（画像処理ＩＣ）が配設されている。
【００１０】
次に、引き続き図２を用いて、パチンコ機１０の制御系の動作について、各制御基板毎に説明する。
各制御基板のうち、まず主制御基板１００に設けられている主制御回路について、その動作を説明する。
主制御回路には、種々の入力信号が入力される。例えば、遊技球が始動入賞口１２（併せて、図１参照）に入賞したことを検出する始動入賞球検出器２０から出力される始動入賞球検出信号、遊技球が大入賞口１３（併せて、図１参照）に入賞したことを検出する入賞球検出器から出力される入賞球検出信号等が入力信号として入力される。
主制御回路は抽選手段（図示省略）を有しており、主制御回路の記憶手段１０２には、ＣＰＵ１０１の制御プログラム、抽選用の乱数を発生させる乱数発生プログラム（当たり判定用乱数発生プログラム、変動時間判定用乱数発生プログラム等）が記憶されている。また、記憶手段１０２には、ＣＰＵ１０１の作業情報が書き込まれる。
主制御回路は、上記した入力信号と記憶手段１０２に記憶されている制御プログラム等に基づいて、すなわち、遊技状態に応じて制御信号や主コマンド信号を出力する。
【００１１】
以下に、主制御回路が出力する制御信号や主コマンド信号について説明する。
ＣＰＵ１０１は、例えば、始動入賞球検出信号が入力されると、記憶手段１０２に記憶されている当たり判定用乱数を読み取り、読み取った当たり判定用乱数が当たり値と一致するか否かを判定する（抽選手段により抽選を行う）。また、変動時間判定用乱数を読み取る。そして、ＣＰＵ１０１から抽選結果表示装置１００ａに制御信号を出力し、抽選結果表示装置１００ａの表示を制御する。例えば、当たり判定用乱数が当たり値と一致する場合（抽選結果が当たりである場合）には、抽選結果表示装置１００ａに、変動時間判定用乱数に対応する変動時間変動表示させた後、当たり結果を表示させる。一方、当たり判定用乱数が当たり値と一致しない場合（抽選結果がはずれである場合）には、抽選結果表示装置１００ａに、変動時間判定用乱数に対応する変動時間変動表示させた後、はずれ結果を表示させる。
さらに、主制御回路は、抽選結果と変動表示時間（当たり判定用乱数と変動時間判定用乱数）を示す主コマンド信号を副制御基板１２０に設けられている副制御回路に出力する。すなわち、図柄変動表示状態に対応する主コマンド信号を出力する。
また、主制御回路は、当たり判定用乱数が当たり値と一致した場合（抽選結果が当たりである場合）には、変動表示時間経過後、大入賞口開閉部材１３ａ（併せて、図１参照）を開制御する制御信号を大入賞口駆動装置３０に出力し、遊技者に有利な大当たり遊技状態を発生させる。
さらに、大当たり遊技状態の開始を示す主コマンド信号を副制御回路に出力する。すなわち、大当たり遊技状態に対応する主コマンド信号を出力する。
また、主制御回路は、大入賞口１３の入賞球検出器２１からの入賞球検出信号が入力されると、入力された入賞球検出信号に対応する数（賞球数）の遊技球（賞球）を賞球装置５０から払い出すことを指示する主コマンド信号を賞球制御基板１１０に配設されている賞球制御回路に出力する。
また、主制御回路は、始動入賞口１２の始動入賞球検出器２０からの始動入賞球検出信号が入力されると、所定数の遊技球を賞球装置５０から払い出すことを指示する主コマンド信号を賞球制御回路に出力する。
また、主制御回路は、賞球制御回路から賞球等の異常を示す賞球コマンド信号が入力されると、賞球等の異常を示すＬＥＤを点灯することを指示する主コマンド信号を副制御回路に出力する。
これら以外にも、主制御回路は遊技状態に応じて種々の制御信号や主コマンド信号を出力する。
【００１２】
次に、副制御基板１２０に設けられている副制御回路について、その動作を説明する。
副制御回路には、主制御回路から、抽選結果と変動表示時間を示す主コマンド信号や、大当たり遊技状態の開始を示す主コマンド信号が入力される。
副制御回路は抽選手段（図示省略）を有しており、副制御回路の記憶手段１２２には、ＣＰＵ１２１の制御プログラム、抽選用の乱数を発生させる乱数発生プログラム（当たり図柄判定用乱数発生プログラム、当たり図柄変動パターン判定用乱数発生プログラム、はずれ図柄判定用乱数発生プログラム、はずれ図柄変動パターン判定用乱数発生プログラム、音制御用プログラム、ランプ制御用プログラム等）が記憶されている。また、記憶手段１２２には、ＣＰＵ１２１の作業情報が書き込まれる。
副制御回路は、上記した主コマンド信号と記憶手段１２２に記憶されている制御プログラム等に基づいて、すなわち、遊技状態に応じて制御信号や副コマンド信号を出力する。
【００１３】
以下に、副制御回路が出力する制御信号や副コマンド信号について説明する。
副制御回路は、主制御回路から抽選結果と変動表示時間を示す主コマンド信号が出力されたことにより図柄変動表示状態に対応する制御信号や副コマンド信号を出力する。また、主制御回路から大当たり遊技状態の開始を示す主コマンド信号が出力されたことによって大当たり遊技状態に対応する制御信号や副コマンド信号を出力する。また、主制御回路から一定時間以上主コマンド信号が出力されないことによって待機状態に対応する制御信号や副コマンド信号を出力する。
例えば、ＣＰＵ１２１は、主制御回路から出力された主コマンド信号が、抽選結果が当たりであることを示している場合（当たり判定用乱数が当たり値と一致する場合）には、記憶手段１２２に記憶されている当たり図柄判定用乱数を読み取るとともに、主コマンド信号で示される変動表示時間（変動時間判定用乱数で示される変動表示時間）に対応する当たり図柄変動パターン用乱数を読み取る。一方、主コマンド信号が、抽選結果がはずれであることを示している場合（当たり判定用乱数が当たり値と一致しない場合）には、はずれ図柄判定用乱数を読み取るとともに、主コマンド信号で示される変動表示時間（変動時間判定用乱数で示される変動表示時間）に対応するはずれ図柄変動パターン用乱数を読み取る。
そして、表示図柄（当たり図柄あるいははずれ図柄）と変動パターン（当たり図柄変動パターンあるいははずれ図柄変動パターン）を示す副コマンド信号を表示制御基板１３０に配設されている表示制御回路に出力する。
同時に、ＣＰＵ１２１は、前記した、主コマンド信号に基づいて読み出した図柄変動パターン用乱数（当たり図柄変動パターン用乱数あるいははずれ図柄変動パターン用乱数）で示される図柄変動パターン（当たり図柄変動パターンあるいははずれ図柄変動パターン）に対応する音の演出や光の演出を行うための音制御信号やランプ制御信号を記憶手段１２２から読み出し、読み出した音制御信号やランプ制御信号に基づいて装飾ＬＥＤ１２０ａの点灯や消灯、及びスピーカ１２０ｂから出力される音声を制御する。
また、副制御回路は、賞球等の異常を示すＬＥＤを点灯することを指示する主コマンド信号が入力されると、装飾ＬＥＤ１２０ａのうち賞球等の異常を示すＬＥＤを点灯する。
【００１４】
次に、表示制御基板１３０に設けられている表示制御回路について、その動作を説明する。
表示制御回路には、副制御回路から、表示図柄（当たり図柄あるいははずれ図柄）と変動パターン（当たり図柄変動パターンあるいははずれ図柄変動パターン）を示す副コマンド信号が入力される。
表示御回路の記憶手段１３２には、ＣＰＵ１３１の制御プログラム、副コマンド信号で示される表示図柄や変動パターンを表示するための表示データが記憶されている。また、記憶手段１３２には、ＣＰＵ１３１の作業情報が書き込まれる。
ＣＰＵ１３１は、上記した副コマンド信号と記憶手段１３２に記憶されている制御プログラムに基づいてＶＤＰ１３３を制御する。ＶＤＰ１３３は、記憶手段１３２から表示データを読み出し、演出表示装置４０の表示を制御する。すなわち、演出表示装置４０に、副コマンド信号で示される変動パターンを表示した後、副コマンド信号で示される表示図柄を演出図柄表示部４１に表示する
【００１５】
次に、賞球制御基板１１０に設けられている賞球制御回路について、その動作を説明する。
賞球制御回路には、主制御回路から、大入賞口１３に遊技球が入賞したことによる入賞球検出信号に対応する数（賞球数）の遊技球（賞球）を賞球装置５０から払い出すことを指示する主コマンド信号や、始動入賞口１２に遊技球が入賞したことによる始動入賞球検出信号に対応する数の遊技球を賞球装置５０から払い出すことを指示する主コマンド信号が入力される。
賞球制御回路の記憶手段１１２には、ＣＰＵ１１１の制御プログラム、上記した主コマンド信号に基づいて賞球装置５０から払い出す遊技球の球数等が記憶されている。また、記憶手段１１２には、ＣＰＵ１１１の作業情報が書き込まれる。
ＣＰＵ１１１は、上記した主コマンド信号や球貸し信号と記憶手段１１２に記憶されている制御プログラムや主コマンド信号に基づいて払い出す遊技球の球数等に基づいて、賞球装置５０を制御する。すなわち、賞球装置５０に、主コマンド信号で示される数の遊技球を払い出させる。例えば、主制御回路から、入賞球検出信号に対応する数（賞球数）の遊技球（賞球）を賞球装置５０から払い出すことを指示する主コマンド信号が入力されると、入賞球検出信号に対応する数の遊技球を賞球装置５０から払い出すための払出制御信号を記憶手段１１２から読み出し、読み出した払出制御信号を賞球装置５０に出力することで、入賞球検出信号に対応する数の遊技球が賞球装置５０から払い出される。また、主制御回路から、始動入賞球検出信号に対応する数（賞球数）の遊技球（賞球）を賞球装置５０から払い出すことを指示する主コマンド信号が入力されると、始動入賞球検出信号に対応する数の遊技球を賞球装置５０から払い出すための払出制御信号を記憶手段１１２から読み出し、読み出した払出制御信号を賞球装置５０に出力することで、始動入賞球検出信号に対応する数の遊技球が賞球装置５０から払い出される。
また、賞球制御回路は、賞球等の異常を検出すると、賞球等の異常を示す賞球コマンド信号を主制御回路に出力する。したがって、賞球等の異常が発生すると、賞球制御回路→主制御回路→副制御回路の順にコマンド信号が出力され、賞球等の異常時に点灯するＬＥＤ（副制御回路に接続されている装飾ＬＥＤ１２０ａの中のＬＥＤ）が点灯されて報知が行われる。
【００１６】
次に、図３を参照して、表示制御基板１３０の構成を説明する。
表示制御基板１３０の部品配設面（以下、表面と称呼する。）には、表示制御基板１３０に設けられている表示制御回路が表示動作を制御するための種々の電気部品が配設されている。
本実施の形態の表示制御基板１３０の表面には、ＢＧＡ型のＣＰＵ１３１と、ＢＧＡ型のＶＤＰ１３３、表示用の情報や制御プログラム等が記憶されている記憶素子を備える記憶回路１３２等が設けられている。また、基板固有のシリアル番号が印字されたシール１３４が貼付されている。ＶＤＰ１３３の周囲には、部品配置不可領域１３５が設けられている。このため、コンデンサ１３６、ロジックＩＣ１３７、チップ抵抗１３８等の部品は、部品配置不可領域１３５以外の領域に配設されている。
本実施の形態の「ＶＤＰ１３３」は本発明の「ＩＣ」に対応する。また、本実施の形態の「部品配置不可領域１３５」は、本発明の「スペース」に対応する。
【００１７】
次に、上記したように構成された表示制御基板１３０と、ＢＧＡ型ＩＣの取り外し装置を準備し、ＶＤＰ１３３を再利用するために表示制御基板１３０から取り外す手順を、図４、図５を用いて説明する。
図４に示すように、ＢＧＡ型のＶＤＰ１３３は、表示制御基板１３０の表面側に、複数のハンダボール１３９によって接続されている。
また、取り外し装置には、一般的に、トップヒータ２１０と予熱用ボトムヒータ２２０が設けられている。トップヒータ２１０には、熱風を局所的に吹きつけるためのノズル２１１が設けられている。ノズル２１１の基板側先端形状は、ＶＤＰ１３３のみを囲う筒型形状に構成されている。また、ノズル２１１内部には、吸着ヘッド２１２が配置されており、ＶＤＰ１３３のパッケージ上面（図５にす上側の面）に吸着可能に構成されている。
本実施の形態の「ノズル２１１」は、本発明の「ＩＣを取り外す治具」に対応する。
【００１８】
まず、取り外し装置のボトムヒータ２２０の上面（図５に示す上側の面）に、支持部材２３０を介して表示制御基板１３０が載置される。
そして、ボトムヒータ２２０が通電されることにより、表示制御基板１３０が裏面側（部品配設面の反対側）から予熱される。
次に、予熱が行われた表示制御基板１３０の表面側において、ノズル２１１の先端でＶＤＰ１３３の周囲を囲うように、ノズル２１１がＶＤＰ１３３のパッケージ上面（図３、図４に示す、部品配置不可領域１３５の上方）に配置される。この際、吸着ヘッド２１２をＶＤＰ１３３のパッケージ上面に吸着させておく。
そして、トップヒータ２１０により、ノズル２１１を介してＶＤＰ１３３のパッケージ上面側に熱風が吹きつけられる。ボトムヒータ２２０による予熱及び、トップヒータ２１０による局所的な熱風により、ＶＤＰ１３３のハンダボール１３９が溶融する。
ここで、図５に示すように、吸着ヘッド２１２を上昇させることにより、ＶＤＰ１３３が表示制御基板１３０から取り外される。
【００１９】
取り外されたＶＤＰ１３３は、他の表示制御基板にハンダ付けされて再利用される。再利用されたＶＤＰ１３３が配設された基板には、再利用された部品が配設されていることを示すシリアル番号が印字されたシールが貼付される。例えば、図３に示すように、新しいＶＤＰ１３３が配設されている表示制御基板１３０の場合には、シール１３４に数字６桁の基板固有のシリアル番号が印字されている。一方、再利用されたＶＤＰ１３３が配設された基板の場合には、図６に示すように、先頭に「Ｒ」の文字と数字６桁の基板固有のシリアル番号が印字されたシールが基板に貼付される。この先頭の文字「Ｒ」により、当該基板に再利用された部品が配設されていることが判別可能な構成となっている。
【００２０】
本実施の形態のパチンコ機１０では、表示制御基板１３０に配設されているＶＤＰ１３３の周囲に、ＶＤＰ１３３を取り外す取り外し装置のノズル２１１を配置可能なスペースが設けられている。これにより、ＶＤＰ１３３を表示制御基板１３０から容易に取り外すことができるようになった。したがって、ＶＤＰ１３３を容易に再利用することができる。特に、ＶＤＰは高価なＩＣであるので、パチンコ機１０のコストを有効的に低減することができる。
また、廃棄物を少なくすることができるので、環境問題に貢献することができる。
【００２１】
本発明は、実施の形態で説明した構成及び動作に限定されず、種々の変更、追加、削除が可能である。
本実施の形態では、基板固有のシリアル番号が印字されたシールの、シリアル番号の先頭に「Ｒ」を印字し、再利用した部品が配設されている基板であることが表示されている場合について説明したが、図７に示すように、マジックインキ等を用いてシールにマーク１３４ａを付することにより、再利用した部品が配設されている基板であることが表示されていてもよい。これによれば、再利用した部品が配設されている基板用のシールを作成する必要がなく、従来のシリアル番号が印字されたシールを用いることができる。また、再利用した部品の再利用回数に対応するマークを付して、例えば、再利用が３回目であれば３個のマークを付して、再利用回数が判別可能に表示されていてもよい。これによれば、当該基板にハンダ付けされている再利用した部品の再利用回数がわかるので、部品の再利用回数の上限回数が設定されている場合、さらに再利用可能であるか否かを判別するのが容易である。
なお、再利用された部品が配設されている基板にマジックインキ等を用いてマークを付する対象としては、上記したシールではなくてもよく、当該基板でマークを付することが可能な箇所であればよい。
また、図８に示すように、ＶＤＰ１３３のパッケージ上面に、マジックインキ等を用いてマーク１３４ｂを付し、当該ＶＤＰ１３３が再利用した部品であることが表示されていてもよい。これによれば、再利用されている部品を区別し易い。また、図９に示すように、ＶＤＰ１３３の再利用回数に対応するマークを付して、例えば、再利用が３回目であれば３個のマーク１３４ｃを付して、再利用回数が判別可能に表示されていてもよい。これによれば、ＶＤＰ１３３の再利用回数がわかるので、部品の再利用回数の上限回数が設定されている場合、さらに再利用可能であるか否かを判別するのが容易である。
また、ＶＤＰ１３３が再利用した部品であることを示すマークは、ＶＤＰ１３３のパッケージ裏面においてハンダボール１３９が設けられない空き領域に付されていてもよい。これによれば、表示制御基板１３０にＶＤＰ１３３がハンダ付けされた状態では、再利用された部品であるか否かがわからないので、遊技店側には安心感を持たせることができる。
なお、本実施の形態では、ＶＤＰ１３３を再利用する場合について説明したが、他のＩＣについても本発明を適用することができる。また、ＢＧＡ型以外のＩＣ（例えば、ＦＰ型、ＤＩＰ型のＩＣ）にも本発明を適用することができる。
また、同一基板内に複数の再利用した部品を配設する場合であって、基板のシリアル番号を示すシール等にマークを付する場合には、再利用した部品毎に相違する色のインクを用いてマークを施し、いずれの部品が再利用されているかを判別可能に構成してもよい。
【００２２】
本発明の趣旨に鑑み、以下の態様を構成することができる。
「（態様１）請求項１に記載のパチンコ機であって、
前記ＩＣはＢＧＡ型ＩＣであることを特徴とする、
パチンコ機。」
一般的に、ＢＧＡ型のパッケージを用いたＩＣは高機能であるとともに、高価である場合が多い。したがって、当該ＩＣを取り外して再利用することにより、有効的にパチンコ機のコスト低減が図れる。
【００２３】
「（態様２）請求項１又は態様１に記載のパチンコ機であって、
前記ＩＣを取り外す治具は、ＩＣの取り外し装置が備えるノズルであり、
前記ＩＣは、前記ノズルを介して前記取り外し装置から熱風が吹き付けられることで当該ＩＣと前記表示制御基板を接続しているハンダが溶融し、前記表示制御基板から取り外し可能となることを特徴とする、
パチンコ機。」
この「ノズル」とは、ＩＣの取り外し装置に設けられ、取り外すＩＣのみに（局所的に）効率良く熱風を吹きつけるために、ＩＣの周囲を囲む囲い形状（例えば、筒型形状）の治具を示す。
本態様のパチンコ機によれば、再利用するＩＣの周囲には、ＩＣの取り外し装置のノズルを配置可能なスペースが設けられている。したがって、当該ＩＣを取り外す操作が簡単である。
【００２４】
「（態様３）ＩＣがハンダ付けされている表示制御基板を備えるパチンコ機であって、
前記表示制御基板には、再利用されているＢＧＡ型ＩＣがハンダ付けされ、再利用されている部品が配設されていることを示す表示が施されていることを特徴とする、
パチンコ機。」
「再利用されている部品が配設されていることを示す表示」は、いずれかの部品が再利用されていることが分かればよく、基板上のどの部品が再利用されているかは不明でもよい。
再利用されている部品が配設されていることを示す「表示」の態様としては、当該基板に再利用されている部品が配設されていることが判別できる態様であればよく、マジックインキ等でマークが付される態様、基板固有の識別情報として当該基板に再利用されている部品が配設されていることを示す識別情報が印字されたシールが貼付される態様が含まれる。
本態様のパチンコ機によれば、表示制御基板の外観により、この基板に再利用されている部品が配設されているか否かを判別することができる。
【００２５】
「（態様４）ＩＣがハンダ付けされている表示制御基板を備えるパチンコ機であって、
前記表示制御基板には、再利用されているＢＧＡ型ＩＣがハンダ付けされ、
前記ＢＧＡ型ＩＣには、再利用されている部品であることを示す表示が施されていることを特徴とする、
パチンコ機。」
再利用されている部品であることを示す「表示」の態様としては、当該部品が再利用された部品であることが判別できる態様であればよく、例えば、マジックインキ等でＩＣのパッケージに付されたマークが付される態様が含まれる。
本態様のパチンコ機によれば、再利用されているＢＧＡ型ＩＣを区別し易い。
【００２６】
「（態様５）態様３又は４に記載のパチンコ機であって、
前記表示は、再利用された回数を示すことを特徴とする、
パチンコ機。」
本態様のパチンコ機によれば、表示制御基板にハンダ付けされている部品のうち、いずれかの部品が再利用された回数を示す。あるいは、表示制御基板にハンダ付けされているＢＧＡ型ＩＣが再利用された回数を示す。
「表示」の態様としては、部品が再利用された回数を判別できればよく、表示制御基板にハンダ付けされている部品のうち、いずれかの部品が再利用された回数を示す場合には、マジックインキ等で基板の表面側に再利用回数を示すマークが付される態様、基板固有の識別情報として当該基板にハンダ付けされている部品の再利用された回数を示す識別情報が印字されたシールが貼付される態様が含まれる。また、表示制御基板にハンダ付けされているＢＧＡ型ＩＣが再利用された回数を示す場合には、例えば、マジックインキ等でＢＧＡ型ＩＣのパッケージに再利用回数を示すマークが付される態様が含まれる。
これによれば、ＶＤＰ１３３の再利用回数がわかるので、再利用回数の上限回数が設定されている場合、さらに再利用可能であるか否かを判別するのが容易である。
【００２７】
「（態様６）態様３〜５のいずれかに記載のパチンコ機であって、
前記表示制御基板には、前記ＢＧＡ型ＩＣの周囲に、当該ＩＣを取り外す治具を配置可能なスペースが設けられていることを特徴とする、
パチンコ機。」
本態様のパチンコ機によれば、ＢＧＡ型ＩＣを、治具を用いて表示制御基板から容易に取り外すことができることとなった。したがって、当該ＩＣを容易に再利用することができ、パチンコ機のコストを有効的に低減することができる。また、廃棄物を少なくすることができるので、環境問題に貢献することができる。
また、再利用されたＢＧＡ型ＩＣが配設されていることを、基板あるいは当該ＩＣの外観により判別することができる。
【００２８】
「（態様７）態様６に記載のパチンコ機であって、
前記ＩＣを取り外す治具は、ＩＣの取り外し装置が備えるノズルであり、
前記ＩＣは、前記ノズルを介して前記取り外し装置から熱風が吹き付けられることで当該ＩＣと前記表示制御基板を接続しているハンダが溶融し、前記表示制御基板から取り外し可能となることを特徴とする、
パチンコ機。」
本態様のパチンコ機によれば、再利用するＩＣの周囲には、ＩＣの取り外し装置のノズルを配置可能なスペースが設けられている。したがって、当該ＩＣを取り外す操作が簡単である。
【図面の簡単な説明】
【００２９】
【図１】パチンコ機１０の表側（遊技者側）の全体構成を正面図で示す。
【図２】パチンコ機１０の制御系のブロック図を示す。
【図３】表示制御基板１３０の外観図を示す。
【図４】表示制御基板１３０に配設されているＶＤＰ１３３を取り外す手順を示す。
【図５】表示制御基板１３０に配設されているＶＤＰ１３３を取り外す手順を示す。
【図６】再利用されたＶＤＰ１３３が配設される基板に貼付される、基板固有のシリアル番号が印字されたシールの一例を示す。
【図７】再利用されたＶＤＰ１３３が配設される基板に貼付される、基板固有のシリアル番号が印字されたシールに、再利用された部品が配設されていることを示すマーク１３４ａが付されている場合の例を示す。
【図８】ＶＤＰ１３３が再利用された部品であることを示すマーク１３４ｂが、ＶＤＰ１３３のパッケージ上面に付されている場合の例を示す。
【図９】ＶＤＰ１３３が再利用された回数を示すマーク１３４ｃが、ＶＤＰ１３３のパッケージ上面に付されている場合の例を示す。
【符号の説明】
【００３０】
１０  パチンコ機
１１  遊技盤面
１２  始動入賞口
１３  大入賞口
１３ａ  大入賞口開閉部材
１４  発射ハンドル
２０  始動入賞球検出器
２１  入賞球検出器
３０  大入賞口駆動装置
４０  演出表示装置
４１  演出図柄表示部
５０  賞球装置
１００  主制御基板
１００ａ  抽選結果表示装置
１１０  賞球制御基板
１２０  副制御基板
１３０  表示制御基板
１３１  ＣＰＵ
１３２  記憶回路
１３３  ＶＤＰ
１３４  シール
１３５  部品配置不可領域
１３６  コンデンサ
１３８  チップ抵抗
１３９  ハンダボール
２１０  トップヒータ
２１１  ノズル
２１２  吸着ヘッド
２２０  ボトムヒータ
２３０  支持部材
【図１】
2006175032.tif 000003
【図２】
2006175032.tif 000004
【図３】
2006175032.tif 000005
【図４】
2006175032.tif 000006
【図５】
2006175032.tif 000007
【図６】
2006175032.tif 000008
【図７】
2006175032.tif 000009
【図８】
2006175032.tif 000010
【図９】
2006175032.tif 000011